【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】 特に信号・制御データ及び情報（signalling and control data and information）の低速度または中間速度の伝送を提供する、メイン・アップリンク（１１2）及びメイン・ダウンリンク（１１1）を含む、メイン対称的双方向チャネルを含むタイプの携帯（セルラ）無線電話信号構造であって、 前記ダウンリンクだけに割り当てられた、特に高速度のデータ伝送を提供する少なくとも一つの追加チャネル（１３2）を含むことを特徴とする携帯無線電話信号構造。
【請求項２】 所定の瞬間において、前記追加チャネル（１３2）の伝送能力の全てまたは一部は動的に特定の移動局に割り当てられることを特徴とする請求項１に記載の携帯無線電話信号構造。
【請求項３】 特定の移動局のために意図された、そして前記追加チャネル（１３2）によって搬送されたデータの検索を可能にする情報は前記メイン・ダウンリンク（１１1）の前記信号・制御情報の間に伝送されることを特徴とする請求項２に記載の携帯無線電話信号構造。
【請求項４】 前記メイン・チャネル（１１1，１１2）と前記追加チャネル（１３2）は同期フレーム構造を有することを特徴とする請求項１乃至３のいずれかに記載の携帯無線電話信号構造。
【請求項５】 前記追加チャネル（１３2）は信号・制御情報の伝送にも備えていることを特徴とする請求項１乃至４のいずれかに記載の携帯無線電話信号構造。
【請求項６】 前記追加チャネル（１３2）は少なくとも、移動局のために意図された信号・制御情報の、該移動局のために意図されたデータを前記追加チャネルで伝送する方法による、伝送に備えていることを特徴とする請求項５に記載の携帯無線電話信号構造。
【請求項７】 前記追加チャネル（１３2）が前記委移動局のために意図された高速度データを搬送するとき、移動局のために意図された前記信号・制御情報が二重化され、あるいは前記メイン・ダウンリンク（１１1）から前記追加チャネル（１３2）に切り替えられることを特徴とする請求項６に記載の携帯無線電話信号構造。
【請求項８】 前記メイン・チャネル（１１1，１１2）は、符号分割多元接続（ＣＤＭＡ）を実行することを特徴とする請求項１乃至７のいずれかに記載の携帯無線電話信号構造。
【請求項９】 前記追加チャネル（１３2）は、時間／周波数空間におけるデータ分布を与える多重搬送波技術（時分割多元接続／周波数分割多元接続）を実行することを特徴とする請求項１乃至８のいずれかに記載の携帯無線電話信号構造。
【請求項１０】 ｍは周波数次元を表す整数、ｎは時間次元を表す整数、ｔは時間、Ｔは時間記号、ａm,nは前もってセットされたアルファベットから選ばれた実デジタル係数、Ｉは原型ＩＯＴＡ関数（仏国特許出願ＦＲ−Ａ−２７３３８６９で定義された）であるとすると、前記追加チャネル（１３2）は次式、
【数１】
2002511702.tif 000001
に応じた複素包絡線（complex envelope）を有することを特徴とする請求項９に記載の携帯無線電話信号構造。
【請求項１１】 前記追加チャネル（１３2）の伝送能力は、時間／周波数空間において定義された少なくとも一つのブロック（２１，２２）の形で、所定の移動局に動的に割り当てられることを特徴とする請求項９または１０に記載の携帯無線電話信号構造。
【請求項１２】 前記メイン・ダウンリンク（１１1）の前記信号・制御情報は、時間／周波数空間における前記ブロック（２１，２２）の検索情報（２５1，２５2）を含むことを特徴とする請求項１１に記載の携帯無線電話信号構造。
【請求項１３】 前記ブロックの少なくとも一部は、時間的及び／または周波数的な同期リファレンスを搬送することを特徴とする請求項１１または１３に記載の携帯無線電話信号構造。
【請求項１４】 特に信号・制御データ及び情報の低速度または中間速度の伝送を提供する、メイン・アップリンク（１１2）及びメイン・ダウンリンク（１１1）を含む、メイン対称的双方向チャネルを実現するタイプの携帯（セルラ）無線電話システムであって、 前記ダウンリンクだけに割り当てられた、特に高速度のデータ伝送を提供する少なくとも一つの追加チャネル（１３2）も実現することを特徴とする携帯無線電話システム。
【請求項１５】 特に信号・制御データ及び情報の低速度または中間速度の伝送を提供する、メイン・アップリンク（１１2）及びメイン・ダウンリンク（１１1）を含む、メイン対称的双方向チャネルを実現するタイプの携帯（セルラ）無線電話の方法であって、 前記ダウンリンクだけに割り当てられた、特に高速度のデータ伝送を提供する少なくとも一つの追加チャネル（１３2）も実現することを特徴とする携帯無線電話方法。
【請求項１６】 メイン・アップリンク（１１2）の放出手段と、メイン・ダウンリンク（１１1）の受信手段とを備えた、携帯（セルラ）無線電話システムの移動局であって、前記アップリンクと前記ダウンリンクは、特に信号・制御データ及び情報の低速度または中間速度の伝送を提供するメイン対称的双方向チャネルを形成しており、 前記移動局は、前記ダウンリンクだけに割り当てられた、特に高速度のデータ伝送を提供する少なくとも一つの追加チャネル（１３2）も備えたことを特徴とする携帯無線電話システムの移動局。
【請求項１７】 前記メイン・チャネル（１１1）の解析を実行し、同期情報を前記メイン・チャネル（１１1，１１2）の処理手段（methoding means）と前記追加チャネル（１３2）の処理手段（methoding means）とに配送する、単一の同期手段を備えたこと特徴とする請求項１６に記載の携帯無線電話システムの移動局。
【請求項１８】 選択的に前記ダウンリンクまたは前記追加チャネル（１３2）であることが可能な受信信号の中間周波数への転換（transposition）手段（４２，４３）と、その転換された信号の復調手段（４５，４６）とを特に含む単一の受信リンクを有することを特徴とする請求項１６または１７に記載の携帯無線電話システムの移動局。
【請求項１９】 選択的に前記メイン・ダウンリンク上または前記追加チャネル（１３2）上に、前記信号・制御情報を回復（recovery）する回復手段を備えたことを特徴とする請求項１６乃至１８のいずれかに記載の携帯無線電話システムの移動局。
【請求項２０】 メイン・アップリンク（１１2）の放出手段と、メイン・ダウンリンク（１１1）の受信手段とを備えた、携帯（セルラ）無線電話システムの基地局であって、前記アップリンクと前記ダウンリンクは、特に信号・制御データ及び情報の低速度または中間速度の伝送を提供するメイン対称的双方向チャネルを形成しており、 前記基地局は、前記ダウンリンクだけに割り当てられた、特に高速度のデータ伝送を提供する少なくとも一つの追加チャネル（１３2）の放出手段も備えたことを特徴とする携帯無線電話システムの基地局。
【請求項２１】 前記追加チャネル（１３2）で所定の移動局のために意図された信号・制御情報を、該チャネルが該移動局のために意図された高速データを搬送するときに、送信する送信手段を備えたことを特徴とする請求項２０に記載の携帯無線電話システムの基地局。
【手続補正２】
【補正対象書類名】明細書
【補正対象項目名】００３０
【補正方法】変更
【補正の内容】
【００３０】
特に、「ＩＯＴＡ」変調技術を役立たせるために、
・ｍは周波数次元を表す整数、
・ｎは時間次元を表す整数、
・ｔは時間、
・Ｔは時間記号、
・ａm,nは前もってセットされたアルファベットから選ばれた実デジタル係数、
Ｉは原型ＩＯＴＡ関数（仏国特許出願ＦＲ−Ａ−２７３３８６９で定義された）であるとすると、前記追加チャネルは、
【数２】
2002511702.tif 000002
に応じた複素包絡線（complex envelope）を使用する。
【手続補正３】
【補正対象書類名】明細書
【補正対象項目名】００５２
【補正方法】変更
【補正の内容】
【００５２】
リンク１３2は、ＯＦＤＭシステムで使用されるような従来の多重搬送波変調を使用してよい（例えば無線放送のＤＡＢ（「Digital Audio Broadcasting」）標準参照）。以下、特に本発明に適用されるＩＯＴＡ変調のケースが議論される。このＩＯＴＡ変調の原理と実行については仏国特許出願ＦＲ−Ａ−２７３３８６９を参照する。
【手続補正４】
【補正対象書類名】明細書
【補正対象項目名】００７０
【補正方法】変更
【補正の内容】
【００７０】
ＩＯＴＡ技術はすでに言及した仏国特許出願ＦＲ−Ａ−２７３３８６９に詳細に記述されている。その出願書類には放出及び受信に必要な実行のための情報が全て記載されている。
【手続補正５】
【補正対象書類名】明細書
【補正対象項目名】００７１
【補正方法】変更
【補正の内容】
【００７１】
次に送信信号（transmitted signal）の複素包絡線（complex envelope）の数式は、
・ｍは周波数次元を表す整数、
・ｎは時間次元を表す整数、
・ｔは時間、
・Ｔは時間記号、
・ａm,nは予めセットされたアルファベットから選ばれた実デジタル係数、
・Ｉは原型のＩＯＴＡ関数（ＦＲ−Ａ−２７３３８６９で定義された）
であるとすると前記追加チャネルは、
【数３】
2002511702.tif 000003
で与えられる。